(57)【要約】【課題】いかなる入力信号においても制御目標電力以下に消費電力を抑制する自発光表示装置を提供する。【解決手段】自発光表示装置は、自発光表示部１０が表示する表示データの特徴を水平期間毎に検出する水平期間データ検出部１と、水平期間データ検出部１の出力により自発光表示部１０に書き込まれる信号に応じた電力値を記憶する画面データ記憶部２と、自発光表示部１０の画素の点灯状態を記憶する点灯状態記憶部３と、画面データ記憶部２と点灯状態記憶部３の出力により自発光表示部１０の消費電力を算出する画面電力算出部４と、画面電力算出部４の出力と制御目標電力を比較して、比較結果に応じた点灯制御信号を次水平同期期間に出力する点灯制御部５と、点灯制御部５の出力に基づいて、画素を発光させるための信号を自発光表示部に出力する点灯用シフトレジスタ９と、を備える。【選択図】図１
2007212644.tif 000002
【特許請求の範囲】
【請求項１】
自発光素子により画素が構成される自発光表示部と、
前記自発光表示部が表示する表示データの特徴を水平期間毎に検出する水平期間データ検出部と、
前記水平期間データ検出部の出力により前記自発光表示部に書き込まれる信号情報を記憶する画面データ記憶部と、
前記自発光表示部の画素の点灯状態を記憶する点灯状態記憶部と、
前記画面データ記憶部と前記点灯状態記憶部の出力により前記自発光表示部における消費電力を算出する画面電力算出部と、
前記画面電力算出部の出力と制御目標電力を比較して、比較結果に応じた点灯制御信号を水平期間毎に出力する点灯制御部と、
前記点灯制御信号に基づいて、前記自発光表示部の画素を発光させるための信号を前記自発光表示部に出力する点灯用シフトレジスタと、
を備えたことを特徴とする自発光表示装置。
【請求項２】
自発光素子により画素が構成される自発光表示部と、
前記自発光表示部が表示する表示データの特徴を水平期間毎に検出する水平期間データ検出部と、
前記水平期間データ検出部の出力により前記自発光表示部に書き込まれる信号情報を記憶する画面データ記憶部と、
前記自発光表示部の画素の点灯状態を記憶する点灯状態記憶部と、
前記画面データ記憶部と前記点灯状態記憶部の出力により前記自発光表示部における消費電力を算出する画面電力算出部と、
前記画面電力算出部の出力と制御目標電力を比較して、比較結果に応じた点灯制御信号を水平期間毎に出力するとともに、前記自発光表示部の全ての発光走査線をオンさせるための全点灯用信号を出力する点灯制御部と、
前記点灯制御部に出力に基づいて、前記自発光表示部の画素を発光させるための水平走査線単位の信号と、全ての発光走査線を発光させるための全点灯用信号とを前記自発光表示部に出力する点灯用ドライバと、
を備えたことを特徴とする自発光表示装置。
【請求項３】
前記水平期間データ検出部は、前記表示データを構成するＲＧＢ信号に電力消費特性に応じた重み付けを施したレベル積算値を水平期間周期毎に出力することを特徴とする請求項１又は請求項２に記載の自発光表示装置。
【請求項４】
前記画面データ記憶部は、前記水平期間データ検出部から出力されるレベル積算値を画面全体の水平走査線数毎に記憶し、水平走査線の書き替え毎に画面表示に対応して記憶内容を書き替えていくことを特徴とする請求項１又は請求項２に記載の自発光表示装置。
【請求項５】
前記点灯状態記憶部は、前記点灯制御部から出力される点灯パルスを一画面分記憶し、水平期間毎に点灯パルスが書き替えられるのに応じて記憶内容を書き替えていくことを特徴とする請求項１又は請求項２に記載の自発光表示装置。
【請求項６】
前記画面電力算出部は、次水平期間の点灯パルス入力をオンした場合の前記自発光表示部の消費電力を算出することを特徴とする請求項１又は請求項２に記載の自発光表示装置。
【請求項７】
前記点灯制御部は、前記画面電力算出部の算出した消費電力が制御目標電力以下であれば次水平期間の点灯パルスをオンし、前記消費電力が制御目標電力より大きければ点灯パルスをオフする点灯制御信号を出力することを特徴とする請求項１記載の自発光表示装置。
【請求項８】
前記点灯制御部は、一画面の書き込みがされている間、前記画面電力算出部の算出した消費電力が制御目標電力以下であれば次水平期間の点灯パルスをオンし、前記消費電力が制御目標電力より大きければ次水平期間の点灯パルスをオフする点灯制御信号を出力し、
一画面の書き込みが終了してから次画面の書き込みが始まるまでの間、全ての発光走査線をオンさせるための全点灯用信号を出力することを特徴とする請求項２記載の自発光表示装置。
【請求項９】
前記画面電力算出部は、全ての発光走査線をオンさせるための全点灯時間を設け、前フィールドと現フィールドの全ライン発光時の画面データを比較し、電力差が小さい場合に、前記点灯制御部は、現フィールドの発光時間が前フィールドの発光時間に近づくように、全点灯用信号の出力時間を制御することを特徴とする請求項２記載の自発光表示装置。
【請求項１０】
前記点灯用ドライバは、前記点灯制御部からの出力に応じて、発光走査線に対して水平期間毎にシフトした信号を前記自発光表示部に出力するとともに、全発光走査線を点灯させる全点灯用信号に応じて、全発光走査線をオンする信号を前記自発光表示部に出力することを特徴とする請求項２記載の自発光表示装置。
【請求項１１】
表示データを前記自発光表示部に書き込むための制御信号およびデータ信号を出力する表示データ書き込み処理部と、
前記自発光表示部に対してデータ信号を出力するソースドライバと、
前記ソースドライバからの信号を前記自発光表示部に書き込むための制御信号を出力する書き込み用シフトレジスタと、
を更に有すること特徴とする請求項１又は請求項２に記載の自発光表示装置。
【発明の詳細な説明】
【技術分野】
【０００１】
本発明は、自発光素子を用いて映像信号を表示する自発光表示装置に関する。
【背景技術】
【０００２】
従来の自発光表示装置は、例えば特許文献１に記載のように、入力した映像信号を有機ＥＬ素子を使用した自発光表示部に表示する。図１６に、特許文献１に記載の従来の自発光表示装置を示す。
【０００３】
従来の自発光表示装置は、自発光表示部である有機ＥＬパネル４４、入力した輝度信号Ｙおよび色差信号Ｃｂ，ＣｒをアナログのＲＧＢ信号に変換するＲＧＢマトリクス回路４０、有機ＥＬパネル４４の解像度（水平／垂直ドット数）に合わせるためにアナログのＲＧＢ信号の解像度変換の処理を行う解像度変換回路４１、アナログのＲＧＢ信号をデジタルのＲＧＢ信号に変換するＡ／Ｄ変換回路４２、及びＡ／Ｄ変換回路４２から供給されるＲＧＢ信号のレベルに応じた制御信号を有機ＥＬパネル４４に出力するパネル制御回路４３を有する。
【０００４】
さらに、従来の自発光表示装置は、アナログのＲＧＢ信号を合成する信号合成回路４６、アナログ信号中に含まれるノイズ成分や高周波成分を取り除くローパスフィルタ（ＬＰＦ）４７、アナログ信号をデジタル信号に変換するＡ／Ｄ変換回路４８、及びＡ／Ｄ変換回路４８によりサンプリングされた信号を入力し、１フィールド（１画面）分の総データを検出する総データ検出回路４９を有する。
【０００５】
パネル制御回路４３は、Ａ／Ｄ変換回路４２から供給されるＲＧＢ信号のレベルに応じた制御信号を有機ＥＬパネル４４に送るとともに、総データ検出回路４９から供給される１フィールド分の総データに基づいて有機ＥＬ素子の発光時間を制御する。パネル制御回路４３は、１フィールド分の総データを発光時間に変換するためのルックアップテーブル（ＬＵＴ）４５を有する。
【０００６】
ＬＵＴ４５の入力データと発光時間（デューティ比）の関係を図１７に示す。例えば実線で示すように入力データに対して線形リニアな発光時間（デューティ比）が得られる。破線は、画質の好みや入力ソースに応じて特性を変化させた場合を示している。
【特許文献１】特開２００３−２２８３３１号公報
【発明の開示】
【発明が解決しようとする課題】
【０００７】
従来の自発光表示装置は、総データの検出結果を次フィールドにおける発光時間の制御に反映させているため、表示データと発光制御との間に遅延が発生する。そのため、総データが小さいフィールドから総データが大きなフィールドへ変化した場合に、大きな総データ画面に対して発光時間が大きい状態となり、大きな電力が消費されることになる。また、フィールドメモリを設けて、一画面のデータから発光時間を制御したとしても、画像データによっては画面書き替え途中において過大な電力発生が起こる。
【０００８】
本発明は、上記従来の問題を解決するもので、表示データに応じた電力制御を時間遅延無く実現し、いかなる入力信号においても消費電力を制御目標電力以下に抑制する自発光表示装置を提供する。
【課題を解決するための手段】
【０００９】
本発明の自発光表示装置は、自発光素子により画素が構成される自発光表示部と、前記自発光表示部が表示する表示データの特徴を水平期間毎に検出する水平期間データ検出部と、前記水平期間データ検出部の出力により前記自発光表示部に書き込まれる信号情報を記憶する画面データ記憶部と、前記自発光表示部の画素の点灯状態を記憶する点灯状態記憶部と、前記画面データ記憶部と前記点灯状態記憶部の出力により前記自発光表示部における消費電力を算出する画面電力算出部と、前記画面電力算出部の出力と制御目標電力を比較して、比較結果に応じた点灯制御信号を水平期間毎に出力する点灯制御部と、前記点灯制御信号に基づいて、前記自発光表示部の画素を発光させるための信号を前記自発光表示部に出力する点灯用シフトレジスタと、を備える。
【００１０】
この発明によれば、自発光表示部に表示される表示データに応じた電力制御を時間遅延無く実現し、いかなる入力信号においても消費電力を制御目標電力以下に抑制することができる。
【００１１】
また、本発明の他の観点による自発光表示装置は、自発光素子により画素が構成される自発光表示部と、前記自発光表示部が表示する表示データの特徴を水平期間毎に検出する水平期間データ検出部と、前記水平期間データ検出部の出力により前記自発光表示部に書き込まれる信号情報を記憶する画面データ記憶部と、前記自発光表示部の画素の点灯状態を記憶する点灯状態記憶部と、前記画面データ記憶部と前記点灯状態記憶部の出力により前記自発光表示部における消費電力を算出する画面電力算出部と、前記画面電力算出部の出力と制御目標電力を比較して、比較結果に応じた点灯制御信号を水平期間毎に出力するとともに、前記自発光表示部の全ての発光走査線をオンさせるための全点灯用信号を出力する点灯制御部と、前記点灯制御部に出力に基づいて、前記自発光表示部の画素を発光させるための水平走査線単位の信号と、全ての発光走査線を発光させるための全点灯用信号とを前記自発光表示部に出力する点灯用ドライバと、を備える。
【００１２】
この発明によれば、自発光表示部に表示される表示データに応じた電力制御を時間遅延無く実現できるとともに、微細な電力制御を実現できる。
【００１３】
前記水平期間データ検出部は、前記表示データを構成するＲＧＢ信号に電力消費特性に応じた重み付けを施したレベル積算値を水平期間周期毎に出力しても良い。
【００１４】
前記画面データ記憶部は、前記水平期間データ検出部から出力されるレベル積算値を画面全体の水平走査線数毎に記憶し、水平走査線の書き替え毎に画面表示に対応して記憶内容を書き替えても良い。
【００１５】
前記点灯状態記憶部は、前記点灯制御部から出力される点灯パルスを一画面分記憶し、水平期間毎に点灯パルスが書き替えられるのに応じて記憶内容を書き替えても良い。
【００１６】
前記画面電力算出部は、次水平期間の点灯パルス入力をオンした場合の前記自発光表示部の消費電力を算出しても良い。
【００１７】
前記点灯制御部は、前記画面電力算出部の算出した消費電力が制御目標電力以下であれば次水平期間の点灯パルスをオンし、前記消費電力が制御目標電力より大きければ点灯パルスをオフする点灯制御信号を出力しても良い。
【００１８】
前記点灯制御部は、一画面の書き込みがされている間、前記画面電力算出部の算出した消費電力が制御目標電力以下であれば次水平期間の点灯パルスをオンし、前記消費電力が制御目標電力より大きければ次水平期間の点灯パルスをオフする点灯制御信号を出力し、
一画面の書き込みが終了してから次画面の書き込みが始まるまでの間、全ての発光走査線をオンさせるための全点灯用信号を出力しても良い。
【００１９】
前記画面電力算出部は、全ての発光走査線をオンさせるための全点灯時間を設け、前フィールドと現フィールドの全ライン発光時の画面データを比較し、電力差が小さい場合に、前記点灯制御部は、現フィールドの発光時間が前フィールドの発光時間に近づくように、全点灯用信号の出力時間を制御しても良い。
【００２０】
前記点灯用ドライバは、前記点灯制御部からの出力に応じて、発光走査線に対して水平期間毎にシフトした信号を前記自発光表示部に出力するとともに、全発光走査線を点灯させる全点灯用信号に応じて、全発光走査線をオンする信号を前記自発光表示部に出力しても良い。
【００２１】
上記の自発光表示装置は、表示データを前記自発光表示部に書き込むための制御信号およびデータ信号を出力する表示データ書き込み処理部と、前記自発光表示部に対してデータ信号を出力するソースドライバと、前記ソースドライバからの信号を前記自発光表示部に書き込むための制御信号を出力する書き込み用シフトレジスタと、を更に有しても良い。
【発明の効果】
【００２２】
本発明の自発光表示装置によれば、いかなる入力信号においても消費電力を制御目標電力以下に抑制することができるという有利な効果が得られる。また、本発明の自発光表示装置によれば、目標電力を的確に制御することができるため、表示装置システムの電源負担を小さくして低消費電力化を実現すると共に画質の劣化を抑制するという格別な効果を奏する。
【発明を実施するための最良の形態】
【００２３】
以下本発明を実施するための最良の形態について、図を参照して説明する。
【００２４】
《実施の形態１》
図１から図１１を用いて、本発明の実施の形態１の自発光表示装置を説明する。図１に、本発明の実施の形態１の自発光表示装置の概略の構成を示す。本実施形態の自発光表示装置は、有機ＥＬ素子などの自発光素子により画素が構成される自発光表示部１０を有し、入力した映像信号を自発光表示部１０に表示する装置である。
【００２５】
本実施形態の自発光表示装置は、表示データを自発光表示部１０に書き込むための制御信号とデータ信号を出力する表示データ書き込み処理部６、自発光表示部１０に対してデータ信号を出力するソースドライバ７、データ信号を自発光表示部１０に書き込むための制御信号を自発光表示部１０に出力する書き込み用シフトレジスタ８、水平期間毎に表示データの特徴を検出する水平期間データ検出部１、水平期間データ検出部１の出力から自発光表示部１０に書き込まれる信号情報を記憶する画面データ記憶部２、自発光表示部１０における点灯状態を１画面分記憶する点灯状態記憶部３、画面データ記憶部２と点灯状態記憶部３の出力により自発光表示部１０における消費電力を算出する画面電力算出部４、画面電力算出部４の出力と制御目標電力を比較して、比較結果に応じた点灯制御信号を水平期間毎に出力する点灯制御部５、及び点灯制御信号に基づいて、画素を発光させるための発光走査信号を自発光表示部１０に出力する点灯用シフトレジスタ９を有する。
【００２６】
図２に、自発光表示部１０の画素構成を示す。図２は、自発光素子が有機ＥＬで構成される場合を例としている。自発光表示部１０の画素は、ソースドライバ７の出力信号であるデータ信号を一端に入力されるＴＦＴ１（Thin Film Transistor、薄膜トランジスタ)、ＴＦＴ１に接続されたコンデンサＣ１、ＴＦＴ１とコンデンサＣ１との接続点に制御端子を接続されたＴＦＴ２、ＴＦＴ２に直列に接続されたＴＦＴ３、及びＴＦＴ３に接続された自発光素子を有する。
【００２７】
ＴＦＴ１は、書き込み用シフトレジスタ８の出力する制御信号である書き込み信号に基づいてオン／オフを切り替える。１水平期間内に書き込み信号によりＴＦＴ１がオンすると、画素に書き込む信号レベルに応じたソースドライバ出力信号であるデータ信号がコンデンサＣ１に保持される。
【００２８】
ＴＦＴ３は、点灯用シフトレジスタ９の出力する発光走査信号に基づいてオン／オフを切り替える。書き込み信号がオフになった後、発光走査信号によりＴＦＴ３がオンすると、コンデンサＣ１に保持された電圧に応じた電流がＴＦＴ２に流れ、自発光素子は点灯する。
【００２９】
図３に、書き込み信号と発光走査信号を示す。自発光表示装置は、ソースドライバ７の出力するデータ信号を書き込み信号により自発光表示部１０に書き込み、発光走査信号によりライン単位の発光を行う。自発光表示装置は、発光走査信号の点灯制御期間に、点灯パルスによる発光のオン／オフ制御を水平期間単位に準じて行う。
【００３０】
図４に、自発光表示部１０の表示画面の表示状態を示す。図４において、表示画面は、Ａ時点からＢ時点、Ｂ時点からＣ時点の表示へと移行する。Ａ時点においてはｍフィールドの画面が表示されている。書き込み用シフトレジスタ８は、自発光表示部１０の表示エリアの先頭を起点に画面の上から下へと走査するように書き込み信号を出力するため、Ｂ時点では画面の上半分がｍフィールドの次のフィールであるｎフィールドの画面となり、下半分はｍフィールドの画面のままとなる。Ｃ時点になると、表示エリアの下まで走査され、全画面ｎフィールドの画面となる。
【００３１】
図５に、水平期間データ検出部１の内部構成を示す。水平期間データ検出部１は、水平期間内の表示エリアに当たるＲＧＢ各々の表示データの積算値または平均値に対して、自発光表示部１０のＲＧＢ画素別の電力消費特性に応じた重み付け係数を乗算する。次に、ＲＧＢそれぞれの乗算した結果を全て加え、その合計値を水平期間電力換算データ（レベル積算値）として出力する。
【００３２】
図６に、画面データ記憶部２の構成を示す。画面データ記憶部２は、自発光表示部１０に書き込まれる信号情報として、自発光表示部１０の表示画面上の水平ライン毎の水平期間電力換算データを記憶する。例えば、ｎラインの水平期間電力換算データは、ｎラインの電力値として画面データ記憶部２に記憶される。次フィールドの書き替えが始まると、画面データ記憶部２は、記憶する電力値も新たに書き替えていき、表示画面に書き込まれた信号に相当する電力値として記憶する。
【００３３】
図７に、画面データ記憶部２の記憶情報と点灯状態記憶部３の記憶情報から、画面電力算出部４が表示画面全体の電力を算出する状態を示す。点灯状態記憶部３は、ライン毎に、点灯状態のオン／オフの情報を記憶する。画面電力算出部４は、画面データ記憶部２の記憶する表示画面上のライン毎の電力値に対して、点灯状態記憶部３の記憶する表示画面上の点灯の状態を組み合わせ、画面消費電力を算出する。算出方法としては、例えば、水平期間の書き替えが終了した段階（新しいライン電力が画面データ記憶部２に記憶された状態）で、且つ点灯状態記憶部３の点灯記憶状態を１ラインシフトさせた次水平期間で、さらに１ライン目をオンにしたときの、オン状態のラインのみの電力を積算する。
【００３４】
上記の算出方法を実現するための画面データ記憶部２、点灯状態記憶部３、及び画面電力算出部４の回路構成の一例を図８に示す。画面データ記憶部２と点灯状態記憶部３は水平ライン数のレジスタをそれぞれ有する。水平期間データ検出部１から出力された水平期間電力換算データは、書き替えラインポインタ信号により選択されたレジスタに書き込まれる。例えば、１ライン目の水平期間電力換算データは、１ライン用のレジスタに書き込まれる。点灯状態記憶部３のレジスタには、ライン毎の点灯のオン／オフの状態が書き込まれる。
【００３５】
画面電力算出部４は、１ライン目の点灯状態をオンとし、２ライン目から最終ラインまでの点灯状態を点灯状態記憶部３のレジスタから読み出して、画面データ記憶部２の出力の有効／無効を切り替える。画面電力算出部４は、１画面の水平期間電力換算データを積算する。画面電力算出部４は、積算したデータを次水平期間の１ライン目の点灯状態がオンである場合の画面電力として出力する。点灯制御部５は、制御目標電力値を持ち、画面電力算出部４の出力を制御目標電力と比較する。
【００３６】
図９に、画面電力算出部４の出力に基づいて、点灯制御部５が１ライン目の点灯制御信号を生成するときの動作フローを示す。まず、画面電力算出部４は、次水平期間の１ライン目の点灯状態をオンとしたときの１画面の電力値を算出する（Ｓ１）。点灯制御部５は、画面電力算出部４の出力値が制御目標電力値を超えているかどうか判断する（Ｓ２）。画面電力算出部４の出力値が制御目標電力値を超えていなければ、次水平期間の１ライン目の点灯制御信号をオンにする（Ｓ３）。画面電力算出部４の出力値が制御目標電力値を超えていれば、次水平期間の１ライン目の点灯制御信号をオフにする（Ｓ４）。
【００３７】
図１０に、点灯用シフトレジスタ９による点灯制御状態の一例を示す。図１０は、自発光表示部１０の表示画面が８本の水平走査線で構成される場合であって、電力を全白の５０％に制御する例を示す。Ａ１〜Ａ９のフィールドにおいては下半分が白画面で、Ｂ１〜Ｂ９のフィールドにおいては上半分が白画面とした場合、図１０の丸の部分が発光しているラインとなる。
【００３８】
点灯用シフトレジスタ９は、点灯制御部５から点灯制御信号を入力すると、発光走査信号（１）から発光走査信号（８）を自発光表示部１０に出力する。例えば、発光走査信号（１）においては、Ｂ２〜Ｂ４においては点灯パルスを入れると５０％電力を超えることになるため、消灯状態とする。Ｂ５においては、点灯パルスをオンにしても次水平期間の電力が５０％を超えないため、オンにする。
【００３９】
図１１に、本実施形態の電力制御状態の一例を示す。図１１（ａ）（ｂ）において、目標電力は５０％とし、表示状態は全白表示で白レベルが５０％の画面から全白１００％の画面、その後、全白１００％から全白５０％と移行していく状態を示している。図１１（ａ）は、従来方式の電力制御状態を示しており、前フィールドの総電力情報から次フィールドの発光デューティを決めることにより、点灯パルスは全白５０％の次のフィールドは発光デューティ１００％、全白１００％の次のフィールドは発光デューティ５０％となる。結果として、全白５０％から移行した時の全白１００％画面において電力制御の遅れが発生し、大きな電力が消費されることになる。図１１（ｂ）は、本実施形態の電力制御状態を示しており、水平期間毎に逐次電力比較を行うため、消費電力を目標の５０％に収めることができ、遅れの殆ど無い電力制御を実現している。
【００４０】
図１２に、本実施形態の電力制御状態の他の例を示す。図１２（ａ）（ｂ）において、目標電力は５０％とし、表示状態は下半分白表示で白レベルが１００％の画面から上半分白表示で白レベル１００％の画面、その後、下半分白表示で白レベル１００％から上半分白表示で白レベル１００％と移行していく状態を示している。図１２（ａ）は、フィールドメモリを設けた方式の従来の電力制御状態を示しており、フィールドの総電力情報からそのフィールドの発光デューティを決めることにより、点灯パルスは発光デューティ１００％に保たれる。しかし、下半分白画面から上半分白画面の移行時には電力が１００％近くに達してしまう。結果として、フィールドメモリを設けた場合でも電力制御の遅れが発生し、大きな電力が消費されることになる。図１２（ｂ）は、本実施形態の電力制御状態を示している。本実施形態の自発光表示装置は、水平期間毎に電力比較を逐次行っているため、消費電力を目標の５０％に収めることができ、遅れの殆ど無い電力制御を実現している。
【００４１】
このように、本実施形態の自発光表示装置によれば、いかなる入力信号においても消費電力を制御目標電力以下に抑制することができる。また、本実施形態の自発光表示装置によれば、電力を的確に制御することができるため、表示装置システムの電源負担を小さくして低消費電力化を実現すると共に画質の劣化を抑制することができる。
【００４２】
《実施の形態２》
本発明の実施の形態２の自発光表示装置を図１３から図１５を用いて説明する。図１３は、本発明の実施の形態２の自発光表示装置の概略の構成を示すブロック図である。本実施形態の自発光表示装置は、点灯制御部２５の出力信号と、点灯用シフトレジスタ９の代わりに点灯用ドライバ２０を有することが、実施の形態１と異なる。本実施形態の自発光表示装置のそれ以外の構成については実施形態１と同様であり、図１３において図１と同一の構成要素には同一の符号を付けている。
【００４３】
本実施形態の点灯制御部２５は、画面電力算出部４の出力を制御目標電力と比較した結果に応じて水平期間毎に点灯制御信号を出力するとともに、自発光表示部１０の全発光走査線がオンする期間を設けるための全点灯用信号を出力する。これらの信号を受信した点灯用ドライバ２０は、自発光表示部１０の画素の水平走査線単位の発光を行うための発光走査信号と全画面の発光を行うための信号を自発光表示部１０に出力する。
【００４４】
図１４に、点灯用ドライバ２０と自発光表示部１０との接続状態を示す。点灯制御部２５から点灯用ドライバ２０に、水平期間毎に入力される点灯のオン／オフを示す点灯制御信号であるシフトレジスタ用信号が入力されるとともに、全点灯用信号が入力される。点灯用ドライバ２０は、点灯制御信号を発光走査線の上から下に向かってシフトさせて、発光走査信号として出力する。また、点灯用ドライバ２０に全点灯用信号が入力された時は、自発光表示部１０の全発光走査線はオン状態となる。
【００４５】
図１５に、本実施形態の点灯制御状態を示す。１フィールドのデータ書き込み時間と点灯パルス制御期間が終了した時点から次フィールドのデータ書き込みが始まる間に、全画素を発光させるための全点灯制御時間が設けられる。
【００４６】
画面電力算出部４は、前フィールドと現フィールドの全ライン発光時の画面データを比較し、電力差が小さい場合は、点灯制御部２５は最終的に現フィールドの発光時間を前フィールドの発光時間に近づけるように全点灯用信号を出力する。全点灯時間は、数水平期間又は水平期間内の所定期間のいずれでもよい。全点灯制御期間終了後は、シフトレジスタ用信号による点灯が全点灯期間に入る前の状態から継続される。
【００４７】
これにより、概ね同様の消費電力の画面表示において、点灯時間のばらつきを抑制でき、静止画表示等における画面のふらつき状態を防ぐことができる。
【産業上の利用可能性】
【００４８】
本発明の自発光表示装置は、いかなる入力信号においても制御目標電力以下に消費電力を抑制するという効果を有し、入力される映像信号を自発光素子により構成された表示部に表示する表示装置等として有用である。
【図面の簡単な説明】
【００４９】
【図１】本発明の実施の形態１の自発光表示装置の概略の構成を示すブロック図
【図２】本発明の実施の形態１の自発光表示部１０の画素構成を示す図
【図３】本発明の実施の形態１の書き込み信号と発光走査信号を示す図
【図４】本発明の実施の形態１の画面表示の変化の状態を示す図
【図５】本発明の実施の形態１の水平期間データ検出部１の構成を示す図
【図６】本発明の実施の形態１の画面データ記憶部２の構成を示す図
【図７】本発明の実施の形態１の点灯状態記憶部３の記憶状態を示す図
【図８】本発明の実施の形態１の画面電力を算出する状態を示す図
【図９】本発明の実施の形態１の点灯制御信号のオン／オフを決めるフローチャート
【図１０】本発明の実施の形態１の点灯制御の例を示す図
【図１１】（ａ）は従来の電力制御状態を示す図（ｂ）は本発明の実施の形態１の電力制御状態を示す図
【図１２】（ａ）は従来の電力制御状態を示す図（ｂ）は本発明の実施の形態１の電力制御状態を示す図
【図１３】本発明の実施の形態２の自発光表示装置の概略の構成を示すブロック図
【図１４】本発明の実施の形態２の点灯用ドライバ２０と自発光表示部１０との接続を示す図
【図１５】本発明の実施の形態２の全点灯制御期間を示す図
【図１６】従来の自発光表示装置の概略の構成を示すブロック図
【図１７】従来の自発光表示装置のＬＵＴを示す図
【符号の説明】
【００５０】
１    水平期間データ検出部
２    画面データ記憶部
３    点灯状態記憶部
４    画面電力算出部
５、２５  点灯制御部
６    表示データ書き込み処理部
７    ソースドライバ
８    書き込み用シフトレジスタ
９    点灯用シフトレジスタ
１０  自発光表示部
２０  点灯用ドライバ
４０  ＲＧＢマトリクス回路
４１  解像度変換回路
４２、４８  Ａ／Ｄ変換回路
４３  パネル制御回路
４４  有機ＥＬパネル
４５  ＬＵＴ
４６  信号合成回路
４７  ＬＰＦ
４９  総データ検出回路
【図１】
2007212644.tif 000003
【図２】
2007212644.tif 000004
【図３】
2007212644.tif 000005
【図４】
2007212644.tif 000006
【図５】
2007212644.tif 000007
【図６】
2007212644.tif 000008
【図７】
2007212644.tif 000009
【図８】
2007212644.tif 000010
【図９】
2007212644.tif 000011
【図１０】
2007212644.tif 000012
【図１１】
2007212644.tif 000013
【図１２】
2007212644.tif 000014
【図１３】
2007212644.tif 000015
【図１４】
2007212644.tif 000016
【図１５】
2007212644.tif 000017
【図１６】
2007212644.tif 000018
【図１７】
2007212644.tif 000019